【事件の表示】
　特願２０１０−５３８９５９「標的粒子を検出するためのマイクロエレクトロニクスセンサデバイス」拒絶査定不服審判事件〔平成２１年　７月　９日国際公開、ＷＯ２００９／０８３８１４、平成２３年　３月１０日国内公表、特表２０１１−５０８１９９〕について、次のとおり審決する。
【結　論】
　本件審判の請求は、成り立たない。
【理　由】
第１　手続の経緯
　本願は、平成２０年１０月３１日（優先権主張：２００７年１２月２０日、欧州特許庁）を国際出願日とする出願であって、平成２５年２月２７日付けで拒絶理由が通知され、同年６月４日に意見書及び手続補正書が提出され、同年１２月６日付けで拒絶査定されたのに対し、平成２６年４月９日に拒絶査定不服審判の請求がなされ、それと同時に手続補正書が提出されたものである。
第２　平成２６年４月９日にされた手続補正についての補正の却下の決定
［補正の却下の決定の結論］
　平成２６年４月９日にされた手続補正（以下「本件補正」という。）を却下する。
［理由］
１　本件補正の概要について
　本件補正前の特許請求の範囲の請求項１は、平成２５年６月４日付け手続補正書の特許請求の範囲の請求項１に記載された以下のとおりである。
「【請求項１】
　キャリアの結合面の結合位置と結合する標的粒子を検査するマイクロエレクトロニクスセンサデバイスであって：
　感度領域を有するセンサユニットであって、
　　入力信号を生成し、前記入力信号を第１周波数で変調し、かつ、前記の変調された入力信号を前記キャリアへ供する発生装置、及び、
　　前記キャリアから、前記の変調された入力信号に応じて生成されて、前記第１周波数で変調されて、かつ、前記センサユニットの感度領域内での標的粒子の存在に依存して変化する出力信号を受ける検出器であって、前記出力信号に応じて、前記センサユニットの感度領域内での標的粒子の存在を示唆するセンサ信号を生成する検出器、
　を備えるセンサユニット；
　前記センサユニットの感度領域についての、前記結合面での結合した標的粒子の運動を選択的に誘起する作動ユニット；及び、
　前記作動ユニットによって誘起された前記の結合した標的粒子の運動及び前記第１変調周波数を考慮するセンサ信号を評価する評価モジュール；
　を有するマイクロエレクトロニクスセンサデバイス。」
　これに対し、本件補正は、特許請求の範囲の請求項１について、以下のように補正しようとするものである。
「【請求項１】
　キャリア
と
磁性
　
前記キャリアは、前記標的磁性粒子と選択的に結合可能な捕獲素子によってコーティングされた結合表面を有し、
　
当該マイクロエレクトロニクスセンサデバイスは：
　感度領域内での標的
磁性
供する
ト；
　前記センサユニットの感度領域ついての、前
記の
磁性
磁場を制御可能なように発生させる磁場発生装置を有する
　前記標的
磁性
誘起された
動を
　を有
し、
　
前記センサユニットでは、前記センサ信号は、前記結合表面での入射光ビームの全内部反射からの光を含む出力光ビームから得られ、
　前記評価モジュールでは、前記センサ信号は、前記センサユニットの感度領域内での標的粒子の存在及び/若しくは量に関して、並びに/又は、前記標的粒子と前記結合表面との間での結合の結合特性に関して評価される、
　マイクロエレクトロニクスセンサデバイス。」（下線は補正箇所を示すものである。）
２　補正の適否について
　本件補正の請求項１についての補正は、補正前の請求項１から、センサユニットについて「入力信号を生成し、前記入力信号を第１周波数で変調し、かつ、前記の変調された入力信号を前記キャリアへ供する発生装置、及び、
　　前記キャリアから、前記の変調された入力信号に応じて生成されて、前記第１周波数で変調されて、かつ、前記センサユニットの感度領域内での標的粒子の存在に依存して変化する出力信号を受ける検出器」という記載を削除しようとする補正を含むものであり、このように必須であった発明特定事項を大幅に削除する補正が、いわゆる限定的限縮を目的とする補正とはいえず、本件補正の請求項１についての補正は、特許請求の範囲の減縮を目的とするものではない。
　また、補正前の請求項１から上記発生装置と検出器に関する記載を削除する本件補正の請求項１についての補正が、請求項の削除、誤記の訂正、明りょうでない記載の釈明のいずれをも目的としないことも明らかである。
　したがって、本件補正の特許請求の範囲についての補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により、上記結論のとおり決定する。
第３　本願発明について
１　本願発明
　本件補正は上記のとおり却下されたので、本願の請求項１に係る発明（以下「本願発明」という。）は、上記第２［理由］１に記載した平成２５年６月４日付け手続補正書の特許請求の範囲の請求項１に記載されるとおりのものである。
２　引用例の記載事項及び引用例に記載された発明
　原査定の拒絶の理由に引用された、本願の優先日前に頒布された刊行物である特開２００６−７１３００号公報（以下「引用例」という。）には、以下の事項及び発明が記載されている。（下線は、参考のために当審で付与したものである。）
（１）引用例の記載事項
ア　「【請求項１】
  
基板上に形成された光導波路
被検出物質を検出する生化学物質検出装置であって、
  前記光導波路に光を入射する光入射手段と、
  前記光導波路から出射された光を検出する光検出手段と、
  前記光導波路表面近傍に設けられ前記被検出物質と選択的に結合するレセプタと、
  前記レセプタに振動を与え、前記レセプタと前記光導波路の表面との距離を変化させる振動励起手段と、
  前記光検出手段からの出力信号に基き、前記振動励起手段により振動励起された前記レセプタの振動の振幅、もしくは振動数、もしくは位相のいずれかを算出する信号処理部とを有する
イ　「【００２１】
  まず、一般化した生化学センサの原理を記す。
レセプタ１００に吸着する被検出生化学物質１０１を検出するために、基板２１上にレセプタを固定化する
光強度変化を測定する例で言えばキャリアは光
キャリアの変調とは光などの強度または振幅または位相または周波数を変化させることを指す
キャリア生成装置２２から出力されたキャリアは基板２１上を通過する過程で物質１０１の吸着量に依存した変調を受ける。
ディテクタ２３で電気信号に変換する
キャリア生成時に生じるキャリア揺らぎＩ
Ｎｃ
通常のロックイン計測ではＩ
Ｃ
を周期的に変調し、Ｉ
Ｎｃ
を低減するのに有効である。
ウ　「【００２４】
  基板１上にキャリアを通過させる構造２を形成する。キャリアの具体例は光や電流である。また、この
キャリアを生成する装置３は具体的にはレーザ光源や電流源や高周波源であり、前記構造２に入射する。
このレセプタが構造２との距離または向きが任意の周期で運動あるいは振動させる手段を備えている
このレセプタを振動させる振動場生成装置９を備えている。
この基本構成において、レセプタ分子は図１中に示したように振動場生成装置９によってレセプタ分子が立った状態（実線）と倒れた状態（点線）を繰り返す。それゆえ、レセプタあるいはサンプルとレセプタの複合体と構造２(前記光導波路)の間の平均距離を時間的に振動させることができる。この基本構成ではレセプタが可動であり力を受けることができるが、これら２つの機能を別の最適な手段で置き換えることも可能である。このようにした場合の構成を図３７に示す。まず、レセプタを構造２（前記光導波路）の表面近傍に繋ぎ止めるとともに前記レセプタに振動を与えられるようにするテザー分８（つなぎ分子）を用いる。次に、振動場から効率よく力を受けるようにするために、前記に振動場生成装置９によって発生させた電磁場に感応する微粒子７をレセプタに結合する。こうすることによってレセプタやレセプタとサンプルの複合体は大きく振動することが可能となり、検出装置の感度の向上をはかることができる。なお、振動場生成装置９は振動場信号生成装置１０からの信号を受け、振動場を微粒子に作用する。
【００２５】
  次に上記構成で以下に物質を検出できるかを説明する。上記構成では、レセプタに振動を加えるとこの振動に従って構造２を通過するキャリアが変調される。すなわち、レセプタの動きを計測することができる。サンプル中の被検出物質１０１がレセプタに吸着するとレセプタと被検出物質の複合体が振動することになり、キャリアへの変調が変化する。たとえば、複合体の振動によって、より強くキャリアが変調される。すなわち、キャリア検出器５で受信する変調振幅が増加する。この振幅増加によって吸着物質量を定量することができる。
【００２６】
  次に感度向上のメカニズムを示す。
上記レセプタ振動に対応した変調信号と振動信号生成装置からの振動信号を同期させて、信号処理部１２でロックイン検出することによって感度向上を図ることができる。
（２）引用例に記載された発明の認定
　上記アないしウを含む引用例全体の記載を総合すると、引用例には、
「光導波路が形成される基板上に固定化されたレセプタに結合する被検出生化学物質を検出する生化学物質検出装置であって、
前記光導波路に光を入射する光入射手段であるキャリア生成装置と、
　前記光導波路から出射された光を検出する光検出手段であるディテクタと、
　前記光導波路表面近傍に設けられ前記被検出生化学物質と選択的に結合するレセプタと、
　前記レセプタに振動を与え、前記レセプタと前記光導波路の表面との距離を変化させる振動励起手段と、
　前記光検出手段からの出力信号に基き、前記振動励起手段により振動励起された前記レセプタの振動の振幅、もしくは振動数、もしくは位相のいずれかを算出する信号処理部とを有し、
　光であるキャリアの生成時に生じるキャリア揺らぎを低減するのに有効であるように、キャリア強度を周期的に変調し、
　レセプタ振動に対応した変調信号と振動信号生成装置からの振動信号を同期させて、信号処理部でロックイン検出することによって感度向上を図る生化学物質検出装置。」
の発明（以下「引用発明」という。）が記載されている。
３　本願発明と引用発明との対比
（１）対比
　本願発明と引用発明とを対比する。
ア　引用発明の「基板」、「被検出生化学物質」、「キャリア生成装置」、「ディテクタ」、及び「信号処理部」が、それぞれ本願発明の「キャリア」、「標的粒子」、「発生装置」、「検出器」、及び「評価モジュール」に相当する。
　
イ　引用発明の「レセプタ」が「固定化された」「基板上」の部分が、本願発明の「キャリアの結合面の結合位置」に相当し、引用発明は、「被検出生化学物質」を「レセプタ」への「結合」によって「基板上」に留めるものであるから、引用発明の「レセプタ」へ「結合」する「被検出生化学物質」が、本願発明の「結合する標的粒子」に相当する。また、引用発明は、「光検出手段からの出力信号」に基づいて「信号処理部」で算出を行うものであり、電気的に作動する装置であることは明らかであるので、引用発明の「生化学物質検出装置」は、本願発明の「マイクロエレクトロニクスセンサデバイス」に相当する。
　そうすると、引用発明の「基板上に固定化されたレセプタに吸着する被検出生化学物質を検出する生化学物質検出装置」は、本願発明の「キャリアの結合面の結合位置と結合する標的粒子を検査するマイクロエレクトロニクスセンサデバイス」に相当する。
ウ　引用発明の「レセプタ」が「固定化された」「基板上」の部分は、「レセプタ」に「結合」した「被検出生化学物質」によって、キャリアを変調する部分であるから（２（１）イの摘記を参照。）、本願発明の「感度領域」に相当する。そして、引用発明の「キャリア生成装置」、「ディテクタ」、及び「基板」の全体が、本願発明の「感度領域を有するセンサユニット」に相当する。
エ　引用発明の「光導波路に入射する」「光」が、本願発明の「入力信号」に相当し、引用発明において、「キャリア生成装置」がこの「光」を「生成」していることは自明である。そして、引用発明の「光であるキャリアの生成時に生じるキャリア揺らぎを低減するのに有効であるように、キャリア強度を周期的に変調する」ことがどの部材で行われているかについて、引用例において具体的に記載されていないが、キャリア揺らぎを低減するためには、光であるキャリアの生成が行われる段階、つまり、光照射手段において変調される必要があることは当業者にとって明らかである。そして、引用発明における「キャリア強度を周期的に変調する」周波数は、本願発明の「第１周波数」に相当する。
　そうすると、引用発明の「光であるキャリアの生成時に生じるキャリア揺らぎを低減するのに有効であるように、キャリア強度を周期的に変調する」「キャリア生成装置」が、本願発明の「入力信号を生成し、前記入力信号を第１周波数で変調し、かつ、前記の変調された入力信号を前記キャリアへ供する発生装置」に相当する。
オ　本願発明の「前記キャリアから、前記の変調された入力信号に応じて生成されて、前記第１周波数で変調されて、かつ、前記センサユニットの感度領域内での標的粒子の存在に依存して変化する出力信号」という特定事項について、この記載を文言通り解釈すると、出力信号は、（第１周波数で）変調された入力信号が、更に同じ周波数である第１周波数で変調されたものとなり、明らかに技術的に必要のない変調を行うことになり、これは、本願の発明の詳細な説明の記載とも対応しないものである。そのため、本願発明と引用発明の対比にあたっては、本願の発明の詳細な説明全体を参酌して、本願発明の上記特定事項中の「前記第１周波数で変調されて」は、入力信号の特定であると解した。
　引用発明において、「基版」の「光導波路」に「入射」された「光」は、「被検出生化学物質」が結合した「レセプタ」に結合した「被検出生化学物質」量に依存した変調を受ける（２（１）イの摘記を参照。）から、引用発明の「ディテクタ」で検出される「光」は、本願発明の「前記キャリアから、前記の変調された入力信号に応じて生成されて、前記第１周波数で変調されて、かつ、前記センサユニットの感度領域内での標的粒子の存在に依存して変化する出力信号」に相当する。
　そうすると、引用発明において、「光」を検出して「出力信号」を出力する「ディテクタ」は、本願発明の「前記キャリアから、前記の変調された入力信号に応じて生成されて、前記第１周波数で変調されて、かつ、前記センサユニットの感度領域内での標的粒子の存在に依存して変化する出力信号を受ける検出器であって、前記出力信号に応じて、前記センサユニットの感度領域内での標的粒子の存在を示唆するセンサ信号を生成する検出器」に相当する。
カ　ウで述べたように、引用発明の「レセプタ」が「固定化された」「基板上」の部分は、本願発明の「感度領域」に相当する。引用発明において、「レセプタ」に「振動」が「与え」られると、「レセプタ」に結合した「被検出生化学物質」も振動することは明らかであるから、引用発明の「前記レセプタに振動を与え、前記レセプタと前記光導波路の表面との距離を変化させる振動励起手段」は、本願発明の「前記センサユニットの感度領域についての、前記結合面での結合した標的粒子の運動を選択的に誘起する作動ユニット」に相当する。
キ　引用発明において、「レセプタ振動に対応した変調信号と振動信号生成装置からの振動信号を同期させて」「ロックイン検出する」ことは、レセプタと「結合」して一体に「振動」する「被検出生化学物質」の「振動」を考慮した検出といえるから、引用発明の「前記光検出手段からの出力信号に基き、」「レセプタ振動に対応した変調信号と振動信号生成装置からの振動信号を同期させて」「ロックイン検出することによって感度向上を図」り、「前記振動励起手段により振動励起された前記レセプタの振動の振幅、もしくは振動数、もしくは位相のいずれかを算出する信号処理部」と、本願発明の「前記作動ユニットによって誘起された前記の結合した標的粒子の運動及び前記第１変調周波数を考慮するセンサ信号を評価する評価モジュール」とは、「作動ユニットによって誘起された前記の結合した標的粒子の運動」「を考慮するセンサ信号を評価する評価モジュール」で共通する。
　以上から、本願発明と引用発明との一致点及び相違点は、以下のとおりである。
（２）一致点
本願発明と引用発明とは、
「キャリアの結合面の結合位置と結合する標的粒子を検査するマイクロエレクトロニクスセンサデバイスであって：
　感度領域を有するセンサユニットであって、
　　入力信号を生成し、前記入力信号を第１周波数で変調し、かつ、前記の変調された入力信号を前記キャリアへ供する発生装置、及び、
　　前記キャリアから、前記の変調された入力信号に応じて生成されて、前記第１周波数で変調されて、かつ、前記センサユニットの感度領域内での標的粒子の存在に依存して変化する出力信号を受ける検出器であって、前記出力信号に応じて、前記センサユニットの感度領域内での標的粒子の存在を示唆するセンサ信号を生成する検出器、
　を備えるセンサユニット；
　前記センサユニットの感度領域についての、前記結合面での結合した標的粒子の運動を選択的に誘起する作動ユニット；及び、
　前記作動ユニットによって誘起された前記の結合した標的粒子の運動を考慮するセンサ信号を評価する評価モジュール；
　を有するマイクロエレクトロニクスセンサデバイス。」
の点で一致する。
（３）相違点
　評価モジュールについて、本願発明は、「第１変調周波数」も「考慮する」のに対して、引用発明は、「キャリア強度を周期的に変調する」変調周波数を考慮するか否かが不明である点。
４　相違点についての判断
　引用発明において、「キャリア強度を周期的に変調する」のは、「光であるキャリアの生成時に生じるキャリア揺らぎを低減する」「ロックイン計測」のためであるから、本願発明の「評価モジュール」に相当する「信号処理部」において、キャリア揺らぎを低減した検出結果を得るために、「キャリア強度を周期的に変調する」変調周波数、すなわち本願発明における「第1周波数」を考慮することは当業者が容易になし得ることである。
（３）本願発明が奏する効果
　本願発明によって奏される効果は、例えば引用例の【００１９】に「非標識生化学センサ（非標識生化学物質検査装置）においてレセプタを振動させ、その振動信号と検出した信号を用いてロックイン計測を行うことによって測定感度と精度を向上する。」と記載されているように引用例の記載事項から当業者が十分予測し得る程度のものである。
（４）まとめ
　よって、本願発明は、引用発明に基づいて当業者が容易に発明をすることができたものである。
第４　むすび
　以上のとおり、本願発明は、特許法第２９条第２項の規定により特許を受けることができない。
　したがって、その余の請求項に係る発明について言及するまでもなく、本願は拒絶されるべきものである。
  よって、結論のとおり審決する。